(57)【特許請求の範囲】
【請求項１】
エレベーターの乗りかご内に設置され、乗客が操作することにより呼び登録の行先階を入力するためのテンキーを有するテンキーかご操作盤と、
前記乗りかご内に設置され、前記テンキーかご操作盤への操作によって登録済であるかご呼びの行先階を表示する行先階表示器と、
前記乗りかご内に乗車してきた乗客の人数である乗車人数を検出する乗車人数検出手段と、
前記乗りかご内に乗客が乗車してきた場合に、前記乗りかご内の乗客に対してかご呼び登録操作を促す所定のメッセージを報知する報知手段と、
前記テンキーかご操作盤への操作内容に基づいて、かご呼び登録の行先階毎の乗客の人数である行先階毎乗車人数を認識する行先階毎乗車人数認識手段と、
前記乗車人数検出手段により検出された前記乗車人数と前記行先階毎乗車人数認識手段により認識された前記行先階毎乗車人数とに基づいて、前記乗りかご内の乗客のうちかご呼びを未だに登録していない人数であるかご呼び未登録人数を認識するかご呼び未登録人数認識手段と、
前記かご呼び未登録人数認識手段により認識された前記かご呼び未登録人数が１人以上である場合に、前記乗りかごの出発を制限するかご出発制限手段と、を備え、
前記行先階表示器は、前記行先階毎乗車人数認識手段により認識された前記行先階毎乗車人数及び前記かご呼び未登録人数認識手段により認識された前記かご呼び未登録人数を表示することを特徴とするエレベーターの制御装置。
【請求項２】
前記行先階表示器は、表示された登録済であるかご呼びの行先階のそれぞれに対して操作可能であり、
前記行先階毎乗車人数認識手段は、前記テンキーかご操作盤への操作内容と前記行先階表示器への操作内容とに基づいて、前記行先階毎乗車人数を認識することを特徴とする請求項１に記載のエレベーターの制御装置。
【請求項３】
前記かご出発制限手段は、前記かご呼び未登録人数認識手段により認識された前記かご呼び未登録人数が１人以上である場合に、全戸開してから所定の上限時間が経過するまでの間、前記乗りかごの出発を制限するとともに、前記乗車人数検出手段により検出された前記乗車人数に応じて、前記上限時間を変化させることを特徴とする請求項１又は請求項２のいずれかに記載のエレベーターの制御装置。
【請求項４】
前記かご出発制限手段は、全戸開してから前記上限時間の経過前であっても、前記テンキーかご操作盤に対して所定の戸閉操作がなされた場合には、前記乗りかごの出発の制限を解除することを特徴とする請求項３に記載のエレベーターの制御装置。
【発明の詳細な説明】
【技術分野】
【０００１】
この発明は、エレベーターの制御装置に関するものである。
【背景技術】
【０００２】
一般に、エレベーターの乗りかご内に設置されるかご操作盤には、エレベーターが停止可能である各階床のそれぞれに対応してかご呼び登録ボタン（行先階ボタン）が設けられる。すなわち、エレベーターが停止可能である階床数が増えると、それに応じてかご操作盤に設けられるかご呼び登録ボタンの数も増える。
【０００３】
近年、ビルの高層化に伴って建物階床数も増加の一途を辿っている。建物階床数が増加してエレベーターが停止可能である階床数が増えると、前述したように、かご操作盤に設置されるかご呼び登録ボタンの数も増加する。そして、かご呼び登録ボタンの数が増加すると、かご操作盤の大型化に繋がるとともに、乗客が目的とする行先階のかご呼び登録ボタンを見付け難くなるという問題がある。
【０００４】
そこで、従来におけるエレベーターにおいては、かご操作盤にテンキーを設置し、乗客はこのテンキーを用いて行先階情報を入力するものが知られている（例えば、特許文献１参照）。このように、テンキー方式のかご呼び登録ボタンを用いることにより、呼び登録の対象となる階床の数が多くなっても、必要なボタンの数は一定以下に抑えることができる。
【０００５】
しかし、このようなテンキー方式のかご操作盤では、かご呼び登録ボタン自体では登録済みのかご呼び登録階を表示することができない。そこで、テンキー方式のかご操作盤と併せて、既にかご呼び登録されている行先階を表示する表示器を乗りかご内に設置するようにしたものが従来において知られている（例えば、特許文献２参照）。
【先行技術文献】
【特許文献】
【０００６】
【特許文献１】特開昭５９−１５８７７２号公報
【特許文献２】特開昭５８−１７２１６８号公報
【発明の概要】
【発明が解決しようとする課題】
【０００７】
一般的な（テンキー方式でない）かご操作盤においては、停止可能である各階床のそれぞれに対応してかご呼び登録ボタンが設けられている。このため、目的とする行先階が異なる複数の乗客が同時にかご呼び登録ボタンを操作して、呼びを登録することが可能である。これに対し、前述した特許文献１や特許文献２に記載されているようなテンキー方式のかご操作盤においては、一度に一人ずつしか登録操作を行うことができない。従って、テンキー方式のかご操作盤において複数の乗客がかご呼び登録を行う必要がある場合には、一般的なテンキー方式でないかご操作盤の場合と比較して、全ての乗客が呼び登録操作を終えるまでにより長い時間が必要となる。
【０００８】
ここで、従来におけるエレベーターの制御装置においては、戸全開後に予め定められた時間が経過すると自動的に戸閉を開始する。そして、戸閉した段階で１つでも呼びが登録されていれば、その登録された階床に向けて乗りかごを出発させる。従って、テンキー方式のかご操作盤において複数の乗客が順にかご呼び登録操作を行っている間に乗りかごが走行を開始した場合、既に乗りかごが目的階を過ぎている、あるいは、過ぎてはいなくとも安全に停止できる限度を超えて目的階に接近している場合には、このような目的階に対するかご呼び登録操作を行っても、当該操作は無効になってしまう。
【０００９】
例えば、高層ビルで高層階（例えば３０階）に対する呼び登録のみが完了し玄関階（例えば１階）から乗りかごが出発した場合に、走行中に低層階（例えば５階）を目的階とするかご呼び登録操作をかご内操作盤のテンキーを用いて行ったとしても、前述したように乗りかごの位置によっては間に合わずに当該操作が無効とされてしまう場合があり得る。そして、このように乗りかごの走行中にかご呼び登録操作が無効とされてしまった場合には、当該操作を行った乗客は目的階で降車することができなくなってしまう。
【００１０】
以上のように、従来におけるエレベーターの制御装置においては、戸全開して一定時間が経過後に戸閉し、既に登録されている呼びに応答して乗りかごを出発させてしまう。そして、テンキー方式のかご操作盤では一度に一人ずつしかかご呼び登録操作を行うことができず、全員が目的とする行先階へのかご呼び登録操作を終えるまで時間がかかってしまう。このため、全員が目的とする行先階へのかご呼び登録操作を終える前に乗りかごを走行させてしまい、目的とする行先階で降車することができなくなってしまう乗客が出てくる可能性があるという課題がある。また、走行中にかご呼び登録操作を強いられた乗客は急かされてしまうため、テンキー方式のかご操作盤において元々多い誤入力がさらに多くなってしまうという課題もある。
【００１１】
この発明は、このような課題を解決するためになされたもので、乗客にとって必要なかご呼び登録が確実に完了してから、乗りかごを出発させることができるエレベーターの制御装置を得るものである。
【課題を解決するための手段】
【００１２】
この発明に係るエレベーターの制御装置においては、エレベーターの乗りかご内に設置され、乗客が操作することにより呼び登録の行先階を入力するためのテンキーを有するテンキーかご操作盤と、前記乗りかご内に設置され、前記テンキーかご操作盤への操作によって登録済であるかご呼びの行先階を表示する行先階表示器と、前記乗りかご内に乗車してきた乗客の人数である乗車人数を検出する乗車人数検出手段と、前記乗りかご内に乗客が乗車してきた場合に、前記乗りかご内の乗客に対してかご呼び登録操作を促す所定のメッセージを報知する報知手段と、前記テンキーかご操作盤への操作内容に基づいて、かご呼び登録の行先階毎の乗客の人数である行先階毎乗車人数を認識する行先階毎乗車人数認識手段と、前記乗車人数検出手段により検出された前記乗車人数と前記行先階毎乗車人数認識手段により認識された前記行先階毎乗車人数とに基づいて、前記乗りかご内の乗客のうちかご呼びを未だに登録していない人数であるかご呼び未登録人数を認識するかご呼び未登録人数認識手段と、前記かご呼び未登録人数認識手段により認識された前記かご呼び未登録人数が１人以上である場合に、前記乗りかごの出発を制限するかご出発制限手段と、を備え、前記行先階表示器は、前記行先階毎乗車人数認識手段により認識された前記行先階毎乗車人数及び前記かご呼び未登録人数認識手段により認識された前記かご呼び未登録人数を表示する構成とする。
【発明の効果】
【００１３】
この発明に係るエレベーターの制御装置においては、乗客にとって必要なかご呼び登録が確実に完了してから、乗りかごを出発させることができる。
【図面の簡単な説明】
【００１４】
【図１】この発明の実施の形態１に係るエレベーターの制御装置の全体構成を模式的に示すブロック図である。
【図２】この発明の実施の形態１に係る乗りかご内に設けられる行先階表示器の正面図である。
【図３】この発明の実施の形態１に係るエレベーターの制御装置の動作を示すフロー図である。
【図４】この発明の実施の形態１に係る図３から続くフロー図である。
【図５】この発明の実施の形態１に係る図３及び図４から続くフロー図である。
【発明を実施するための形態】
【００１５】
この発明を添付の図面に従い説明する。各図を通じて同符号は同一部分又は相当部分を示しており、その重複説明は適宜に簡略化又は省略する。
【００１６】
実施の形態１．
図１から図５は、この発明の実施の形態１に係るもので、図１はエレベーターの制御装置の全体構成を模式的に示すブロック図、図２は乗りかご内に設けられる行先階表示器の正面図、図３から図５はエレベーターの制御装置の動作を示すフロー図である。
【００１７】
図１において、１は、エレベーターの昇降路（図示せず）内に昇降自在に配置され、乗客等を積載して昇降路内を昇降する乗りかごである。この乗りかご１内には、テンキーかご操作盤２が設置されている。このテンキーかご操作盤２には、乗りかご１内の乗客のそれぞれが所望する行先階への呼び登録を行うためのテンキー部が設けられている。また、テンキーかご操作盤２には、乗りかご１内の乗客が戸開を指示するための戸開ボタンや、乗客が戸閉を指示するための戸閉ボタン等も設けられている。
【００１８】
テンキーかご操作盤２のテンキー部には、所望する行先階の階床番号を指定するための「０」から「９」までの各数字ボタン、入力した階床番号への呼び登録指示を確定するための確定ボタンや、入力中（確定前）の状態において、入力した数字を取消すための取消ボタン等が備えられている。
【００１９】
乗りかご１には、乗りかご１内に乗車してきた乗客の人数を検出する乗車人数検出手段３が備えられている。この乗車人数検出手段３は、例えば、乗りかご１の床下に設けられた秤装置（重量センサ）の検出結果、乗りかご１内に設置されたカメラ装置により撮影された画像に基づいた画像認識結果や、乗りかご１の戸（ドア）に設置されたドアセンサによる検出結果等のうちの１つ又は２つ以上を併用することにより、乗りかご１内に乗車してきた乗客の人数を検出する。
【００２０】
また、乗りかご１内には、アナウンス装置４が設けられている。このアナウンス装置４は、スピーカ等から構成され、所定の音声メッセージを鳴動して乗りかご１内の乗客に報知するものである。
【００２１】
乗りかご１の運行を含むエレベーターの運転動作全般は、制御盤５により制御される。すなわち、例えば、テンキーかご操作盤２に対してなされた操作に関する情報は制御盤５に送信され、制御盤５は、この操作情報に応じて呼び登録等を行う。また、制御盤５は、ある階床に停止してから一定時間が経過したら、ドアを戸閉させて乗りかご１を停止階から出発させる。そして、呼び登録（かご呼び及び乗場呼び）に応答して乗りかご１を各行先階へと走行させる、といったような制御を行う。また、アナウンス装置４によるアナウンス内容も、この制御盤５により制御される。
【００２２】
乗りかご１内には、行先階表示器６が設置されている。この行先階表示器６の構成を図２に示す。この行先階表示器６は、大きく分けて、メッセージ表示部６ａ、かご呼び未登録人数表示部６ｂ及び行先階表示部６ｃを有している。そして、行先階表示部６ｃは、さらに、登録済階床表示部６ｄ及び行先階毎乗車人数表示部６ｅとに分けられる。
【００２３】
メッセージ表示部６ａは、所定の文字メッセージを表示して乗りかご１内の乗客に報知するものである。
かご呼び未登録人数表示部６ｂは、乗りかご１内の乗客のうち、かご呼びを未だに登録していない人の数であるかご呼び未登録人数情報を表示するものである。
【００２４】
行先階表示部６ｃの登録済階床表示部６ｄは、テンキーかご操作盤２の操作によって既に登録されているかご呼びの行先階を表示するものである。行先階表示部６ｃの行先階毎乗車人数表示部６ｅは、登録済階床表示部６ｄに表示されている各行先階について、その行先階を目的とする乗客の人数を表示するものである。行先階表示部６ｃは、ある１つの行先階に関する登録済階床表示部６ｄ及び行先階毎乗車人数表示部６ｅの組が複数組表示できるようになっている。この図２には、登録済階床表示部６ｄ及び行先階毎乗車人数表示部６ｅの組が１０組表示できるように構成した例を示している。
【００２５】
そして、この行先階表示部６ｃはタッチパネルになっており、表示された登録済であるかご呼びの行先階のそれぞれに対して操作可能である。すなわち、乗りかご１内の乗客は、自身が所望する行先階が既に登録済階床表示部６ｄに表示されている場合には、当該行先階の登録済階床表示部６ｄにタッチ操作することにより、自身が当該行先階を所望している旨をエレベーター側へと意思表示することができる。そして、登録済階床表示部６ｄにタッチ操作されると、当該タッチ操作された登録済階床表示部６ｄと組になっている行先階毎乗車人数表示部６ｅの表示人数が１人増加される。なお、行先階表示部６ｃはタッチパネル式でなくとも、単に表示部と操作ボタンとを組み合わせて用いるようにしてもよい。
【００２６】
以上のように構成されたエレベーターの動作を制御する制御盤５には、行先階毎乗車人数認識手段、行先階表示制御手段、かご呼び未登録人数認識手段、かご出発制限手段及びメッセージ報知手段が備えられている。
行先階毎乗車人数認識手段は、登録されたかご呼びの行先階のそれぞれについて、その行先階を目的とする乗客の人数である行先階毎乗車人数を認識するものである。この行先階毎乗車人数は、テンキーかご操作盤２に対して行われた操作及び行先階表示器６の行先階表示部６ｃに対して行われた操作に基づいて認識される。
【００２７】
行先階表示制御手段は、行先階毎乗車人数認識手段により認識された行先階毎乗車人数に基づいて、行先階表示器６の行先階表示部６ｃの表示を制御するものである。すなわち、行先階表示制御手段は、行先階毎乗車人数認識手段により認識された行先階毎乗車人数が０人でない（１人以上である）行先階を登録済階床表示部６ｄに表示させる。そして、登録済階床表示部６ｄに表示させた各行先階のそれぞれについて、行先階毎乗車人数表示部６ｅに行先階毎乗車人数を表示させる。
【００２８】
かご呼び未登録人数認識手段は、乗車人数検出手段３による検出結果である乗りかご１内への乗車人数と、行先階毎乗車人数認識手段により認識された行先階毎乗車人数とに基づいて、乗りかご１内の乗客のうちかご呼びを未だに登録していない人の数であるかご呼び未登録人数を認識するものである。このかご呼び未登録人数は、具体的には、乗車人数から全行先階についての行先階毎乗車人数の総和を引くことにより求められる。かご呼び未登録人数認識手段により認識されたかご呼び未登録人数は、行先階表示器６のかご呼び未登録人数表示部６ｂに表示される。
【００２９】
かご出発制限手段は、ある停止階において乗りかご１が停止している際に、かご呼び未登録人数認識手段により認識されたかご呼び未登録人数が０人でない場合には、当該停止階から乗りかご１が出発することを制限するかご出発制限を行うものである。このかご出発制限は、具体的には、乗りかご１を出発させないように制限する時間に上限時間を設定することにより行われる。すなわち、かご出発制限手段は、かご呼び未登録人数が０人でない場合には、原則として所定の上限時間が経過するまでの間は乗りかご１を停止階から出発させない。そして、上限時間が経過するとかご出発制限を解除して、乗りかご１を出発させる。
【００３０】
この上限時間は、乗車人数検出手段３により検出された乗車人数に応じて変化される。すなわち、乗車人数が多いほど全ての乗客がかご呼び登録操作を終えるまでにかかる時間が長くなるであろうことから、乗車人数が多いほど上限時間を長くする。
また、さらに、かご出発制限手段は、前記上限時間内であっても、所定の操作がなされた場合、例えばテンキーかご操作盤２の戸閉ボタンが操作された場合には、かご出発制限を解除して乗りかご１を出発させる。
【００３１】
メッセージ報知手段は、所定の場合に、予め定められたメッセージを、アナウンス装置４から音声メッセージを鳴動させることにより、あるいは、行先階表示器６のメッセージ表示部６ａに文字メッセージを表示させることにより、乗りかご１内の乗客に報知させるものである。ここで、所定の場合における予め定められたメッセージとは、例えば、乗客が乗りかご１に乗車した後に発報される乗客全員に対して呼び登録操作を促すメッセージや、乗りかご１内にかご呼び未登録の乗客がいる場合に発報される呼び登録操作を促すメッセージ等がある。
【００３２】
この実施の形態にあっては、エレベーターの制御装置は、図３から図５に示す一連のフローに従って動作する。
まず、乗りかご１が走行中において、制御盤５は、ステップＳ１で、以後の制御に用いる各種の変数を定義する。Ｐｏｎは、乗車人数検出手段３により検出された乗りかご１に乗車してきた乗客の数、すなわち、乗車人数である。Ｐｒｅｓｔは、制御盤５のかご呼び未登録人数認識手段により認識されているかご呼び未登録人数である。Ｐｆｌ（ｎ）は、制御盤５の行先階毎乗車人数認識手段により認識されているｎ階を行先階とする乗客の人数（ｎ階に対する行先階毎乗車人数）である。ここで、ｎは、エレベーターの乗りかご１が停止可能である階床を示す番号であり、一般に０を除く整数値である（負数は地下階を表すものとする）。
【００３３】
Ｎｏｆｆは、停止階、すなわち、制御盤５が次に乗りかご１を停止させると決定した（停止決定した）階である。Ｎｔｅｎは、テンキーかご操作盤２に対する操作によってかご呼び登録の行先階として指定された階床（「登録階床」という）である。Ｎｉｎｄは、行先階表示器６に対する操作、すなわち、行先階表示器６の行先階表示部６ｃに対するタッチ操作がなされた登録済階床表示部６ｄに表示されている階床（「操作階床」という）である。
【００３４】
続くステップＳ２において乗りかご１の走行中に制御盤５が停止決定した場合には、ステップＳ３へと進む。ここで、乗りかご１の走行中とは、通常時における全自動運転によって、かご呼び登録又は乗場呼び登録に応答して乗りかご１が走行している最中であるということである。従って、その他の場合における運転中はこの図３から図５のフロー図中にいう走行中には含まれない。例えば、手動運転による乗りかご１の走行中は、含まれない。
【００３５】
ステップＳ３においては、制御盤５は当該停止決定された停止階”Ｎｏｆｆ”階を取得する。そして、ステップＳ４において、乗りかご１がこの停止階”Ｎｏｆｆ”階に到着して、ドアゾーン内で戸開中となった場合には、ステップＳ５へと進む。
【００３６】
このステップＳ５においては、乗りかご１が停止階”Ｎｏｆｆ”階に停止して戸開したことにより、乗降者が発生すると判断して次の動作を行う。すなわち、まず、当該停止階で降車客がいれば、行先階表示器６の行先階表示部６ｃに当該停止階が表示されているはずである。そこで、制御盤５の行先階表示制御手段は、行先階表示器６の行先階表示部６ｃにおいて、停止階”Ｎｏｆｆ”階を表示している登録済階床表示部６ｄの表示を消す。そして、この消した”Ｎｏｆｆ”階への乗車人数”Ｐｆｌ（Ｎｏｆｆ）”人を表示している行先階毎乗車人数表示部６ｅの表示も消す。また、当該停止階への乗客が存在した場合には、この乗客は全員が当該停止階において降車するはずなので、制御盤５の行先階毎乗車人数認識手段は、当該停止階”Ｎｏｆｆ”階への乗車人数”Ｐｆｌ（Ｎｏｆｆ）”人を０人にリセットする。すなわち、Ｐｆｌ（Ｎｏｆｆ）に０を代入する。
【００３７】
続くステップＳ６において、制御盤５のかご出発制限手段は、上限時間を設定して当該停止階からの乗りかご１の出発を制限する。このステップＳ６の時点では、この上限時間は、かご呼び又は乗場呼びに応答して戸全開してから所定の一定時間である不干渉時間だけ経過するまでに設定される。そして、次のステップＳ７において、制御盤５は、乗車人数検出手段３による検出結果に基づいて、当該停止階において乗りかご１へと新たに乗客が乗車したか否かを確認する。
【００３８】
このステップＳ７で、当該停止階において乗りかご１へと新たに乗車した乗客が発生した場合には、ステップＳ８へと進む。なお、当該停止階において乗りかご１へと新たに乗車した乗客が発生した場合とは、当該停止階において乗場呼びが登録されていた場合であると考えられる。ステップＳ８においては、まず、制御盤５のメッセージ報知手段は、乗りかご１内の乗客に対してかご呼び登録を促すメッセージを、アナウンス装置４から鳴動させるとともに、行先階表示器６のメッセージ表示部６ａに表示させる。この際のかご呼び登録を促すメッセージの具体例としては、例えば「行き先を入力してください」や「行き先階に触れてください」等が考えられる。
【００３９】
また、制御盤５は、乗車人数検出手段３の検出結果から当該停止階における乗車人数”Ｐｏｎ”人を取得する。そして、当該停止階において発生した乗客はかご呼び未登録であるため、制御盤５のかご呼び未登録人数認識手段は、現在のかご呼び未登録人数”Ｐｒｅｓｔ”人に、先ほど取得した乗車人数”Ｐｏｎ”人を加算する。すなわち、ＰｒｅｓｔにＰｒｅｓｔ＋Ｐｏｎを代入する。なお、Ｐｒｅｓｔの初期値は０である。
【００４０】
さらに、かご呼び未登録の乗客がいることを乗客自身にも知らせるため、制御盤５は、行先階表示器６のかご呼び未登録人数表示部６ｂに、算出されたかご呼び未登録人数”Ｐｒｅｓｔ”人を表示させる。また、制御盤５のかご出発制限手段は、当該停止階において発生した乗車人数に応じて、かご出発を制限する上限時間を変更する。具体的には、例えば乗車人数１人につき所定の一定時間（例えば２秒間）を不干渉時間に加算した時間を上限時間としたり、あるいは、予め乗車人数に対して上限時間を設定したテーブルを用意したりしてもよい。
【００４１】
図３のステップ８の後は、図中の「Ｃ」に達し、図４のステップＳ９へと進む。このステップＳ９においては、制御盤５は、テンキーかご操作盤２（のテンキー）が操作されたか否かを確認する。テンキーかご操作盤２が操作された場合には、ステップＳ１０へと進む。
【００４２】
ステップＳ１０においては、まず、制御盤５は、テンキーかご操作盤２に対する操作によってかご呼び登録の行先階として指定された登録階床”Ｎｔｅｎ”を取得する。そして、乗客１人がかご呼び登録を完了したことになるため、制御盤５のかご呼び未登録人数認識手段は、現在のかご呼び未登録人数”Ｐｒｅｓｔ”人から１人を減算する。すなわち、ＰｒｅｓｔにＰｒｅｓｔ−１を代入する。かご呼び未登録人数が変化したため、制御盤５は、行先階表示器６のかご呼び未登録人数表示部６ｂの表示を、算出されたかご呼び未登録人数”Ｐｒｅｓｔ”人に更新する。
【００４３】
また、”Ｎｔｅｎ”階行きの乗客が１人発生したことになるため、制御盤５の行先階毎乗車人数認識手段は、”Ｎｔｅｎ”階を行先階とする乗客の人数”Ｐｆｌ（Ｎｔｅｎ）”人に１人を加算する。すなわち、Ｐｆｌ（Ｎｔｅｎ）にＰｆｌ（Ｎｔｅｎ）＋１を代入する。
【００４４】
そして、続くステップＳ１１において、制御盤５の行先階表示制御手段は、行先階表示器６の行先階表示部６ｃに既に”Ｎｔｅｎ”階が行先階として表示されているか否かを確認する。行先階表示部６ｃに既に”Ｎｔｅｎ”階が表示されている場合には、ステップＳ１２へと進む。このステップＳ１２においては、”Ｎｔｅｎ”階を行先階とする乗客の人数”Ｐｆｌ（Ｎｔｅｎ）”人が変化しているため、制御盤５の行先階表示制御手段は、行先階表示部６ｃにおいて”Ｎｔｅｎ”階が表示されている登録済階床表示部６ｄと組となる行先階毎乗車人数表示部６ｅに表示されている人数を最新の”Ｎｔｅｎ”階を行先階とする乗客の人数”Ｐｆｌ（Ｎｔｅｎ）”人に更新する。
【００４５】
一方、行先階表示部６ｃにまだ”Ｎｔｅｎ”階が表示されていない場合には、ステップＳ１３へと進む。このステップＳ１３においては、制御盤５の行先階表示制御手段は、行先階表示部６ｃにおいて、登録済階床表示部６ｄに”Ｎｔｅｎ”階を新規に表示する。また、併せて、当該新規に表示した登録済階床表示部６ｄと組となる行先階毎乗車人数表示部６ｅに、”Ｎｔｅｎ”階を行先階とする乗客の人数”Ｐｆｌ（Ｎｔｅｎ）”を表示する。
【００４６】
ステップＳ１２及びＳ１３の後は、図中の「Ｄ」に進む。また、ステップＳ９において、テンキーかご操作盤２が操作されなかった場合には、ステップＳ１０からＳ１３を経ることなく図中の「Ｄ」に至る。図中の「Ｄ」に至ると、次は、図５のステップＳ１４へと進む。
【００４７】
ステップＳ１４においては、制御盤５は、行先階表示器６（の行先階表示部６ｃ）が操作されたか否かを確認する。行先階表示器６が操作された場合には、ステップＳ１５へと進む。このステップＳ１５においては、まず、制御盤５は、行先階表示器６に対する操作がなされた登録済階床表示部６ｄに表示されている操作階床”Ｎｉｎｄ”を取得する。そして、乗客１人がかご呼び登録を完了したことになるため、制御盤５のかご呼び未登録人数認識手段は、現在のかご呼び未登録人数”Ｐｒｅｓｔ”人から１人を減算する。すなわち、ＰｒｅｓｔにＰｒｅｓｔ−１を代入する。かご呼び未登録人数が変化したため、制御盤５は、行先階表示器６のかご呼び未登録人数表示部６ｂの表示を、算出されたかご呼び未登録人数”Ｐｒｅｓｔ”人に更新する。
【００４８】
また、”Ｎｉｎｄ”階行きの乗客が１人発生したことになるため、制御盤５の行先階毎乗車人数認識手段は、”Ｎｉｎｄ”階を行先階とする乗客の人数”Ｐｆｌ（Ｎｉｎｄ）”人に１人を加算する。すなわち、Ｐｆｌ（Ｎｉｎｄ）にＰｆｌ（Ｎｉｎｄ）＋１を代入する。そして、”Ｎｉｎｄ”階を行先階とする乗客の人数”Ｐｆｌ（Ｎｉｎｄ）”人が変化しているため、制御盤５の行先階表示制御手段は、行先階表示部６ｃにおいて”Ｎｉｎｄ”階が表示されている登録済階床表示部６ｄと組となる行先階毎乗車人数表示部６ｅに表示されている人数を最新の”Ｎｉｎｄ”階を行先階とする乗客の人数”Ｐｆｌ（Ｎｉｎｄ）”人に更新する。
【００４９】
ここで、行先階表示器６が操作されて入力される操作階床”Ｎｉｎｄ”階は、既にかご呼びの行先階として登録されている階床のみである。そこで、行先階表示器６が操作されてから制御盤５からの表示指令によって行先階表示器６の表示を変更するまでに時間差が発生するようであれば、行先階表示器６の内部で操作直後に行先階毎乗車人数表示部６ｅの表示人数を変更しておくようにしてもよい。この場合、行先階表示器６は、表示変更後に制御盤５からの当該表示変更に係る表示指令を受けることになる。このようにすることにより、操作から表示変更までの見た目上の時間差を無くすことが可能である。
【００５０】
続くステップＳ１６において、制御盤５は、この時点でのかご呼び未登録人数”Ｐｒｅｓｔ”人が０人以下であるか否かを確認する。かご呼び未登録人数”Ｐｒｅｓｔ”人が０人以下である場合には、乗りかご１に乗車した全乗客がかご呼び登録を完了したと判断してステップＳ１８へと進む。このステップＳ１８においては、制御盤５のかご出発制限手段は、かご出発制限を解除するために、かご全戸開から上限時間以上経過したと判定されるように乗りかご１の出発制限時間、すなわち、上限時間又はかご全戸開からの経過時間カウンタの値を変更する。具体的には、例えば、上限時間を０に設定したり、経過時間カウンタの値を強制的に上限時間以上にしたりする。そして、ステップＳ１９へと進む。
【００５１】
一方、ステップＳ１６において、かご呼び未登録人数”Ｐｒｅｓｔ”人が０人以下でない場合には、ステップＳ１７へと進む。このステップＳ１７においては、制御盤５はテンキーかご操作盤２の戸閉ボタンが操作されたか否かを確認する。戸閉ボタンが操作された場合には、ステップＳ１８へと進み、かご出発制限を解除するために、かご全戸開から上限時間以上経過したと判定されるように上限時間又はかご全戸開からの経過時間カウンタの値が変更された上でステップＳ１９へと進む。ステップＳ１７において戸閉ボタンが操作されなかった場合には、ステップＳ１８は経由せずに（出発制限時間は変更されずに）ステップＳ１９へと進む。
【００５２】
なお、このステップＳ１７において戸閉ボタンが操作された場合、かご呼びを登録したいが未完了である乗客がいる可能性がある。そこで、すぐにステップＳ１８へと進んでかごの出発制限を即時無効にするよう変更するのではなく、戸閉ボタンが所定の複数回操作された場合にステップＳ１８へと進むようにしてもよい。また、戸閉ボタンが操作された回数に応じた時間だけ上限時間を短くする（又は経過時間カウンタの時間を進める）ようにしてもよい。
【００５３】
また、ここで、図３のステップＳ７に戻ると、当該停止階への停止がかご呼びにのみ応答するものであった場合には、当該停止階では降車客のみであって乗車客は発生しないと考えられる。この図３のステップＳ７で、当該停止階において乗りかご１へと新たに乗車した乗客が発生しなかった場合には、ステップＳ７から図中の「Ｂ」に至りステップＳ１７へと進む。そして、戸開ボタンが操作された否かに応じてステップＳ１８を経由し、又は経由せずにステップＳ１９へと進む。
【００５４】
ステップＳ１９においては、制御盤５のかご出発制限手段は、かご全戸開から所定の上限時間が経過したか否かを確認する。このステップＳ１９の前にステップＳ１８が実行されている場合には、このステップＳ１９において、必ずかご全戸開から上限時間が経過したと判定されるようになっているはずである。かご全戸開から上限時間が経過した場合には、ステップＳ２０へと進む。一方、かご全戸開から上限時間が経過していない場合には、図中の「Ａ」に至り、図３のステップＳ６へと戻る。
【００５５】
ステップＳ２０においては、制御盤５のかご呼び未登録人数認識手段は、かご呼び未登録人数”Ｐｒｅｓｔ”人を０人に設定（リセット）する。そして、制御盤５は、行先階表示器６のかご呼び未登録人数表示部６ｂに表示されているかご呼び未登録人数”Ｐｒｅｓｔ”人の表示を消す。続いてステップＳ２１へと進み、制御盤５のかご出発制限手段は、乗りかご１の出発制限を解除して出発を許可し、制御盤５は乗りかご１の走行を開始させる。その後、乗りかご１は走行中の状態になり、図３のステップＳ１に戻る。
【００５６】
なお、以上においては、呼び登録済の行先階の表示する行先階表示器６の行先階表示部６ｃをタッチパネルにし、呼び登録済の行先階を所望する乗客は、所望する行先階が表示されている行先階表示部６ｃの登録済階床表示部６ｄをタッチ操作することにより、かご呼び登録済の人数としてカウントされる実施例について説明した。
【００５７】
しかし、以上の特に図４のフロー図についての説明からも分かるように、呼び登録済の行先階を所望する乗客は、行先階表示器６を操作せずともテンキーかご操作盤２のテンキーを操作することによっても、かご呼び登録済の人数としてカウントされることが可能である。従って、行先階表示器６を必ずしもタッチパネル式にすることはなく、かご呼び未登録人数や登録済階床及び登録済階床毎の乗車人数等を表示する機能のみを有するようにしてもよい。この場合には、全ての乗客は、自身の所望する行先階への呼びが登録済であるか否かに関わらず、テンキーかご操作盤２に対してかご呼び登録操作を行うことになる。
【００５８】
以上のように構成されたエレベーターの制御装置は、乗りかご内に設置され、テンキーかご操作盤への操作によって登録済であるかご呼びの行先階を表示する行先階表示器と、乗りかご内に乗車してきた乗客の人数である乗車人数を検出する乗車人数検出手段と、乗りかご内に乗客が乗車してきた場合に、乗りかご内の乗客に対してかご呼び登録操作を促す所定のメッセージを報知する報知手段であるアナウンス装置及び行先階表示器のメッセージ表示部と、テンキーかご操作盤への操作内容に基づいて、かご呼び登録の行先階毎の乗客の人数である行先階毎乗車人数を認識する行先階毎乗車人数認識手段と、乗車人数と行先階毎乗車人数とに基づいて、乗りかご内の乗客のうちかご呼びを未だに登録していない人数であるかご呼び未登録人数を認識するかご呼び未登録人数認識手段と、かご呼び未登録人数が１人以上である場合に、乗りかごの出発を制限するかご出発制限手段と、を備え、行先階表示器は、行先階毎乗車人数及びかご呼び未登録人数を表示するものである。
【００５９】
乗客は、行先階表示器の表示内容により、乗客によるかご呼びの登録状況を知ることができ、報知内容に従って呼び登録操作を実施する。従って、乗客にとって必要なかご呼び登録が確実に完了してから、乗りかごを出発させることができる。また、このため、乗客は走行中にかご呼び登録操作を強いられることがなくなり、誤入力の発生を低減することが可能である。
【００６０】
また、行先階表示器は、表示された登録済であるかご呼びの行先階のそれぞれに対して操作可能であり、行先階毎乗車人数認識手段は、テンキーかご操作盤への操作内容に加えて、さらに行先階表示器への操作内容にも基づいて、行先階毎乗車人数を認識するものである。従って、自身の所望する行先階への呼びが既に登録されている乗客は、テンキーかご操作盤を操作することなく、ワンタッチで操作を行うことができる。
【００６１】
さらに、かご出発制限手段は、かご呼び未登録人数が１人以上である場合に、全戸開してから所定の上限時間が経過するまでの間、乗りかごの出発を制限するとともに、乗車人数に応じて上限時間を変化させるものである。このため、乗りかご内の全ての乗客が呼び登録操作を終えるのに、必要十分な時間を確保することができる。
【００６２】
また、加えて、かご出発制限手段は、全戸開してから上限時間の経過前であっても、テンキーかご操作盤に対して戸閉ボタンが押下される等の所定の戸閉操作がなされた場合には、乗りかごの出発の制限を解除するものである。このため、急いでいる乗客がいる等の事情がある場合に、柔軟な対応が可能となる。
【符号の説明】
【００６３】
１    乗りかご
２    テンキーかご操作盤
３    乗車人数検出手段
４    アナウンス装置
５    制御盤
６    行先階表示器
６ａ  メッセージ表示部
６ｂ  かご呼び未登録人数表示部
６ｃ  行先階表示部
６ｄ  登録済階床表示部
６ｅ  行先階毎乗車人数表示部
【図１】
0005652222.tif 000002
【図２】
0005652222.tif 000003
【図３】
0005652222.tif 000004
【図４】
0005652222.tif 000005
【図５】
0005652222.tif 000006